(57)【要約】      （修正有）【課題】対象生物にできるだけ傷を付けずに電気ショックを与え鎮静させるもので、使用者が感電しないような仕様と構造で構成された、コンパクトなサイズと形状の片手で持って操作できる、携行に最適な電気ショッカーを提供する。【解決手段】小型の電子回路基盤Ｆを内蔵し、中央から後端部Ｈにかけて細くなる把持部Ｂと、中央から先端部Ｄ方向へ柱状に延伸したアーム部Ｃと、アーム部Ｃの先端に突出した放電端子１を備える。さらに誤接触防止カバー２を備え、放電開始メインスイッチ５を放電開始サブスイッチ１１を同時に押下し、かつ放電端子１が対象生物と接触していなければ放電しない構成とする。【選択図】図１
0003179211.tif 000002
【実用新案登録請求の範囲】
【請求項１】
把持部Ｂの内部に装填された小型の電池Ｅの小さな電気から、電磁誘導の誘導電流により大きな電気を発生させる電子回路で構成された小型の電子回路基盤Ｆを内蔵することにより、片手で持って操作できるコンパクトで携行に最適なサイズを実現し、握ったときの保持を良くするため全体の中央から後端部Ｈにかけて細くなるよう本体の上面が傾斜した把持部Ｂと、一方、全体の中央から前方の先端部Ｄ方向へ柱状に延伸したアーム部Ｃとその先に放電端子１を突出させて配置した使いやすい形状を特徴とした、対象生物にできるだけ傷を付けずに電気ショックを与え鎮静させるもしくは必要があれば絶命させることを可能とした電気ショッカー。
【請求項２】
使用者が誤って感電しないための安全対策を多重に施し、安心して使用できるよう構成を配慮し、本体を電気絶縁体の素材で形成し、漏電防止のため電子回路基板Ｆを把持部Ｂに防水構造で内蔵し、放電端子１がある先端部Ｄと把持部Ｂとの間には安全な距離を保つためのアーム部Ｃがあり、誤接触防止カバー２を備え、なおかつ放電開始メインスイッチ５または放電開始サブスイッチ１１のどちらか一方を押下すると放電警告ブザー７による注意喚起を発し、放電開始メインスイッチ５および放電開始サブスイッチ１１を同時に押下し、なおかつ放電端子１が対象生物と接触していなければ放電しない構成とした、請求項１に記載の携行電気ショッカー。
【請求項３】
電源である電池Ｅも一般的に普及している充電式のものや乾電池等廉価な市販のものを使用できる仕様で、電池交換キャップ８を外せば簡単に交換できる構造としており、そのほか必要に応じて、対象生物との距離をもっと必要とする場合は、放電端子延長アームを放電端子１・アーム部Ｃおよび誤接触防止カバー２に被せるように接続しての使用や、電源コードを接続し外部電源入力端子１０を介し内部の電池に充電したり外部電源も使用できる、もしくは外部電源等ジョイント部にメジャーや量りなどをはめ込み、便利に使用できる構造とした、請求項１または請求項２に記載の携行電気ショッカー。
【考案の詳細な説明】
【技術分野】
【０００１】
本考案は電気ショッカーに関し、対象生物にできるだけ傷を付けずに電気ショックを与え鎮静させる装置で、目的の処理を安全に素早くかつ適切にするための補助的役割をし、コンパクトなサイズと形状で、片手に持って操作できる携行に最適な電気ショッカーに係るものである。
【背景技術】
【０００２】
魚釣りをひとつの例として考察すると、従来の釣り上げた魚を鎮静させる方法は魚の頭部を叩くか、刃物や鋭利な道具で刺したり、地面に叩きつけるといった残忍ともいえる行為により、釣り針を外す前に魚が傷ついたり、あるいは死んでしまったりし、リリースもできない状態になる不都合があった。
【０００３】
公知の技術で、特許文献１に記載の「魚を気絶させる装置」は、釣りの仕掛け部分に電気ショックを与える装置を設置し、魚が釣り針に掛かった時に放電するか、もしくは魚等に直接電気ショックを与え鎮静させる方法であり、マグロ釣りなどで利用され広く一般に知られているが、これは漁業等の業務的作業として沖の船上でマグロ等の大型魚を傷付けずに捕獲することを目的としており、このような限られた条件でのみ使用されるため、電気ショック装置は船上に固定設置され、発電機により電源が備えてあり、大型のものを使用している。
他の公知の技術で、特許文献２に記載の「魚類鳥獣を通電失神させる突き刺し具」は、２本の串のような先端部が電極になっており、やや離れた所にいる魚類鳥獣に突き刺して電気ショックを与えるものである。
【先行技術文献】
【特許文献】
【０００４】
【特許文献１】特開２００９−１５９８２２号公報
【特許文献２】実用新案登録第２５０５５１２号公報
【考案の概要】
【考案が解決しようとする課題】
【０００５】
魚釣りの場合、魚が釣れた時は、必然的に釣り針を魚から外すという作業が伴う。
釣り針は、魚の口または喉もしくは体に掛かるが、いずれにしてもその時魚が暴れたり口を堅く閉じていたりするため、魚をしっかり捕まえたり、押さえつけたりしなければならない。それでもなかなか鎮静させることができないので作業を手間取らせることが多く、特に危険魚の場合などは接触によりケガをする、といった不測の事態が起こる可能性もある。
しかし、従来の釣り上げた魚を鎮静させる方法は、熟練を要したり残忍ともいえる行為であり不都合がある。
【０００６】
魚釣りは、一般的に趣味やレジャーであり、釣り人が渓流や川、砂浜や磯、堤防や沖等、色々な場所へ行くことが多く、そうして釣れた魚との引き合いが楽しみのひとつとして重要であり、前記の特許文献１に記載の「魚を気絶させる装置」のように、針掛かりした途端に鎮静するものでは魚釣りを楽しめない。また、マグロ釣りで使用されるような大掛かりな電気ショックを与える装置は携行できるものではない。通常の魚釣りの場合であれば、どのような釣り場へでも携行でき、魚との引き合いを楽しんだ後、魚を釣り上げてから鎮静させるのに適した装置が必要である。
対象生物を鎮静させるのに必要な電気ショックを与えられ、かつコンパクトなサイズと形状で片手に持って操作できる、携行に最適な電気ショッカーが必要である。
【０００７】
魚釣りの場合、慣例では未成熟なサイズはリリースすることとしていたり、もしくは全てリリースを前提にしている場合もある。前記の特許文献２に記載の「魚類鳥獣を通電失神させる突き刺し具」は、２本の串のような先端部が電極になっており、魚等に突き刺して電気ショックを与えるものであるが、そもそも突き刺し具を使って捕獲するのは魚釣りではなく、ましてや魚に突き刺し傷を付けるのはいただけない。
対象生物に与える損傷は最小限であることが望ましい。
【０００８】
片手で持って操作できる携行用電気ショッカーとしてはスタンガンがある。しかし、護身用としての仕様のため特別高電圧に設計されており、衣服の上からでも感電させる威力はあるが微弱電流しか通電せず、使用時の放電中に相手の体が痺れるものの失神まではしないのである。高出力なものもあるが、市販品ではなく、入手できたとしても高価である。仮に、このままのスタンガンを釣り場で釣り上げた魚の鎮静のため使用すると感電の可能性が高いので、大変危険である。
このような装置は安全性が第一であり、使用者が感電しないような仕様と構造で、かつ対象生物の損傷を最小限に抑えるため、電圧や電流および電気量を適度に設定する必要がある。また、趣味やレジャーで使用される道具はできる限り経済的負担が少ないこと、なおかつ手軽に楽しめるよう簡単に便利で使いやすいものが求められる。
【０００９】
上記の、「考案が解決しようとする課題」の特許文献１及び２に記載の装置は、魚釣りで使用したときを例に考えたとき、釣れた魚との引き合いを楽しんだ後、釣り上げた魚を鎮静させるために使用する装置としては、不十分な方法と形状である。また、項０００５から０００８に記載した不都合である課題を解消した装置は現在見当たらない。
【課題を解決するための手段】
【００１０】
本考案による請求項１に記載の電気ショッカーは、どのような場所へでも携行でき、片手で持って操作できるコンパクトなサイズと形状にすることを可能にするため、対象生物を鎮静させるのに必要な電気量を発生させる装置として、以下の電子回路を把持部に内蔵することで解決する。
この装置は、カメラに使用されているフラシュを発光させる装置と同様の、小型電池で稼働する、トランジスタ・トランス・ダイオード・抵抗・電解コンデンサ・発光ダイオード・ブザー・各スイッチ等の少ない部品数で構成されたコンパクトな電子回路で、小型電池の小さな電気を、トランジスタ・ダイオード・抵抗により直流から交流電流へ変換し、トランスで電磁誘導の誘導電流により高圧電流を発生させ、ダイオード・抵抗により直流電流に戻した電気を電解コンデンサに蓄電することで大きな容量の電気を作り出している。また、蓄電された大きな電気は、対象生物の損傷を最小限に抑えるため放電量選択ボタンにより必要な電圧および電流に調整し、放電開始メインスイッチおよび放電開始サブスイッチを同時に押下しながら放電端子を対象生物に接触させることで閉回路状態となり、一気に放電され電気ショックを与えることで鎮静させることができる。もし、必要があれば絶命させることも可能である。
【００１１】
請求項２に記載の考案は請求項１に記載の考案の構成に加え、使用者が誤って感電しないための安全対策を多重に施し、安心して使用できるよう構成を配慮したものとしている。本考案の電気ショッカーの本体は電気絶縁体の素材で形成し、対象生物を鎮静させるのに必要な電気量を発生させるコンパクトな電子回路を構成する電子回路基板と小型の電池を把持部に防水構造で内蔵し漏電防止図り、誤接触防止カバーを備えた放電端子がある先端部と把持部との間には安全な距離を保つためのアーム部があり、なおかつ放電開始メインスイッチまたは放電開始サブスイッチのどちらか一方を押下すると放電警告ブザーによる注意喚起を発し、放電開始メインスイッチおよび放電開始サブスイッチを同時に押下し、なおかつ放電端子が対象生物と接触していなければ放電しない構成とした。
【００１２】
請求項３に記載の考案は請求項１および２に記載の考案の構成に加え、電源である電池も一般的に普及している充電式のものや乾電池等廉価な市販のものを使用できる仕様で、電池交換キャップを外せば簡単に交換できる構造としており、対称生物との距離をもっと必要とする場合は放電端子延長アームを放電端子とアーム部および誤接触防止カバーに被せるように接続し使用できる。また、放電端子延長アームや電源コードを接続し外部電源入力端子を介し内部の電池に充電したり外部電源も使用できる、もしくは外部電源等ジョイント部にメジャーや量りなどをはめ込み、便利に使用できる構造とした。
【考案の効果】
【００１３】
前記の「課題を解決するための手段」の項番００１０から００１２で記述したように、本考案による電気ショッカーは、どのような場所へでも携行でき、片手で持って操作できるコンパクトなサイズと形状であり、使用者が誤って感電しないための安全対策を多重に施し安心して使用できるよう配慮していること、および防水構造にすることでメンテナンスもいらないため様々な環境下で永く使用に耐え、なおかつ廉価で提供でき、電源である電池も一般的普及している廉価な市販のものを使用でき、簡単に交換できるので使用者にとって経済的負担が少ないこと、さらに放電端子延長アームや電源コードを接続し内部の電池に充電したり外部電源も使用できる、もしくは外部電源等ジョイント部にメジャーや量りなどをはめ込み使用できることは、利用の範囲も広くとても使いやすく便利である。
これらの特長により本考案の電気ショッカーは、魚釣りの場合に、釣り上げた魚を手軽にかつ簡単で安全に鎮静させることができるため、釣り針を外す作業を手間取らせたり、危険魚との接触によりケガをするなどといった不測の事態が起こる心配も減る。このことによって心理的にも余裕ができ、手返しも早くなり、魚釣りがより一層楽しめるといった効果が考えられる。
【図面の簡単な説明】
【００１４】
【図１】本考案の本体内部の構造および内蔵した装置等の配置を側面から示した断面図
【図２】本考案の本体を使用するとき上方となる面を真上から見た平面図
【図３】本考案の本体を使用するとき先端となる部位の正面から見た平面図
【図４】本考案の本体を使用するとき後端となる部位の正面から見た平面図
【図５】本考案の対象生物を魚と仮定して実施している状況の想定図
【考案を実施するための形態】
【００１５】
本考案の電気ショッカーの外形の特徴、構造や配置、実施形態を、各図面を用いて説明する。
図１は「本考案の本体内部の構造および配置を側面から示した断面図」であり、図１に示すとおり、電気ショッカーＡの外形は、側面とする方向から見ると、コンロ等に焚き付けるときに利用される点火棒（ユーティリティライター）のような形状であり、全体の中央から後方（図１では下）の後端部Ｈ方向が把持部Ｂとなっており、握った時の保持を良くするため全体の中央から後端部Ｈにかけて細くなるよう本体の上面が傾斜した形状となっている。一方、全体の中央から前方（図１では上）は、本体中央の下側には放電開始サブスイッチ１１があり、これの上側から先端部Ｄ方向へ柱状に延伸したアーム部Ｃとその先に放電端子１が突出して配置している。これらを被覆し、その間をまたがるように移動する誤接触防止カバー２があり、未使用時は放電端子１を覆い隠す位置に固定され、実施時はアーム部Ｃの方向にスライドさせ放電端子１を露出させることができる。図１では未使用時に放電端子１を覆い隠している誤接触防止カバー２の位置を表示している。
本体に内蔵した装置等の配置は、図１に示すとおり、把持部Ｂ内側に配置した電子回路基盤Ｆには放電レベルメーターランプ３、電源・蓄電完了お知らせランプ４、放電開始メインスイッチ５、放電量選択ボタン６、放電時警告ブザー７、外部電源入力端子１０、放電開始サブスイッチ１１や、またアーム部Ｃの内側を通って放電端子１、電池Ｅなどが接続されている。後端部Ｈは電池交換キャップ８であるが主電源スイッチ９を兼ね備えている。なお、電気ショッカーＡの本体は、電気絶縁体の素材で一体に形成されている。
内蔵した装置等の
【００１６】
図２に示すとおり、電気ショッカーＡの外形は、上面とする方向から見ると、打ち上げロケットのような形状であり、把持部Ｂの幅は一定であるが、中央付近でアーム部Ｃ方向へにかけて細くなり、アーム部Ｃは先端部Ｄ方向へ一定幅で柱状に延伸し、その先に放電端子１が突出して配置されている。図２では、実施時に放電端子１を露出させた状態である誤接触防止カバー２の位置を表示している。
図３は先端部Ｄのその先にある放電端子１のある方向から見た平面図である。
図４は後端部Ｈにある電池交換キャップ８のある方向から見た平面図である。
図５は本考案を実施している状況の想定図であり、電気ショッカーを使用した時の状態の一例として表示するものである。
【００１７】
本考案を実施するには、事前準備として、電気ショッカーＡの電池交換キャップ８を反時計回りに回転させ電池交換キャップ８を外し、電池Ｅを把持部Ｂの内部へ挿入し、次に時計回りに回転させ電池交換キャップ８をはめ、電池Ｅを装填する。
図５のように、本考案の実施時は把持部Ｂを手のひら、中指、薬指、小指で握り、親指を本体中央付近の上面にある放電開始メインスイッチ５に置き、その下側にある放電開始サブスイッチ１１へ人差し指を掛け保持する状態を基本とする。
最初に、後端部Ｈにある電池交換キャップ８に付帯した主電源スイッチ９を押し電源を入れると、本体中央よりやや先端部Ｄ寄りの上面にある電源・蓄電完了お知らせランプ４が点灯し電源が入ったことを知らせ、放電レベルメーターランプ３も１つ点灯する。しばらくすると電源・蓄電完了お知らせランプ４が点滅し蓄電が十分できたことを知らせる。対象生物に合わせ適切な放電量を選択するため放電量選択ボタン６を押し、放電レベルメーターランプ３で確認しながら放電量を決定する。
誤接触防止カバー２をアーム部Ｃ方向へスライドさせ、先端部Ｄから突出して配置された放電端子１を露出させ、放電開始メインスイッチ５または放電開始サブスイッチ１１を押すと放電時警告ブザー７が鳴り、感電に対する注意を促す。放電開始メインスイッチ５および放電開始サブスイッチ１１を同時に押しながら、放電端子１を対象生物に接触させると、選択した適切な電気量が放電され、対象生物に伝導することで電気ショックを与え鎮静させることができる。
【００１８】
前記で、基本的な操作の手順を記述したが、例えば遊漁船で使用するなど、対象生物との距離をもっと必要とする場合は、放電端子延長アームを放電端子１・アーム部Ｃおよび誤接触防止カバー２に被せるように接続し使用できる。また連続多用する場合には、把持部Ｂの下側にある外部電源等ジョイント部Ｇに電源コードを接続し、外部電源入力端子１０を介し内部の電池Ｅに充電しながら外部電源も使用できる。他にも外部電源等ジョイント部Ｇにメジャーや量りなどをはめ込み使用するといった、必要に応じた接続をし、便利な構造とした。
【実施例】
【００１９】
本考案の電気ショッカーの電気量の設定及び実施例として、以下に記述する、大きな電気を発生させ蓄電する装置として電子回路、対象生物として魚を用いて実地検証した。
使用電源は一次電池の単三乾電池１．５Ｖが１本で、電子回路はカメラフラシュの回路を流用し、昇圧電流は３００Ｖ、電解コンデンサは１２０μＦのもので実験した。因みにこの電解コンデンサの性能は、約５．４Ｊの仕事率で、これは５．４Ｗの電力量と等しく、３００Ｖの電圧で０．０１８Ａの電流が１秒間通電したことに相当する。
【００２０】
検証に使用するため、釣り上げておいた約２０センチメートルのハゼを、海水の入ったバケツの中より抜き出し地面に置き、図５のように、魚体１３の頭部に放電端子１を当て放電したところ、魚は一瞬ビクッとなり感電した様子であった。感電直後はつついても３０秒ほどは動かなくなったので、バケツの海水中に戻し経過を観察したところ、徐々に手ビレが動き出し、約１分ほど経過したらまた元のように泳ぎだした。
対象生物のサイズや種類、使用時の環境により伝導する電気量に差はあると思われるが、前述の規模の電気量の放電でも十分利用できる実用の範囲であることを確認した。使用方法の参考として、鮮度維持等のため対象生物を絶命させる場合は適正より大きい放電設定を選択するか、数回電気ショックを与える、もしくは併用すると良い。
【産業上の利用可能性】
【００２１】
本考案による携行電気ショッカーＡは、主に魚釣りにおいて釣り上げた魚の釣り針を外す作業を安全に支障なく行うため、魚を鎮静させる目的で使用するものであるが、魚釣りの用途に限らず、飲食店などで活魚などを生簀に移動させる場合や、調理準備する際に魚が暴れて思わぬ事態を被るのを予防する目的としての利用、野山での作業時に遭遇した小動物の威嚇や、有害生物または害虫等の駆除をする、もしくは狩猟等での小動物の捕獲の補助具として携行する等の幅広い用途の利用も考えられる。
【符号の説明】
【００２２】
Ａ：電気ショッカー
Ｂ：把持部
Ｃ：アーム部
Ｄ：先端部
Ｅ：電池
Ｆ：電子回路基盤
Ｇ：外部電源等ジョイント部
Ｈ：後端部
１：放電端子
２：誤接触防止カバー
３：放電レベルメーターランプ
４：電源・蓄電完了お知らせランプ
５：放電開始メインスイッチ
６：放電量選択ボタン
７：放電時警告ブザー
８：電池交換キャップ
９：主電源スイッチ
１０：外部電源入力端子
１１：放電開始サブスイッチ
１２：使用者の手
１３：魚体
１４：釣り針
１５：ハリス
【図１】
0003179211.tif 000003
【図２】
0003179211.tif 000004
【図３】
0003179211.tif 000005
【図４】
0003179211.tif 000006
【図５】
0003179211.tif 000007